(57)【要約】【課題】基板ケースを開封することによる不正行為を確実に防止できる遊技機を提供すること。【解決手段】本発明の基板ケース３０は、第１ケース３１及び第２ケース３２を備える。第１被カシメ部４１及び第２被カシメ部５１はカシメ鋲６１を介して互いにかしめられる。第１被カシメ部４１には、カシメ鋲６１の先端部６２が圧入される鋲固定部材２１１が設けられる。第２被カシメ部５１には、カシメ鋲６１の頭部６３を第１被カシメ部４１側に押圧することにより、先端部６２を鋲固定部材２１１に圧入するカシメ部材８１が収容される。また、第２被カシメ部５１には、頭部６３をカシメ部材８１とで挟み込むように押さえる鋲押さえ部９１が設けられる。なお、カシメ部材８１側の係合部１６３が鋲押さえ部９１側の被係合部９２に係合することにより、カシメ部材８１と鋲押さえ部９１とが互いに分離不能となる。【選択図】図８
2014073157.tif 000002
【特許請求の範囲】
【請求項１】
制御基板を収容した基板ケースが取り付けられる遊技機であって、
前記基板ケースは、
前記遊技機に取り付けられる第１ケースと、前記第１ケースを覆うように前記第１ケースに取り付けられる第２ケースとを備え、
前記第１ケースに設けられた第１被カシメ部と前記第２ケースに設けられた第２被カシメ部とが、カシメ鋲を介して互いにかしめられるものであり、
前記第１被カシメ部に、前記カシメ鋲の先端部が圧入されることにより前記先端部を固定する鋲固定部材が設けられ、
前記第２被カシメ部に、前記第２ケースが前記第１ケースに取り付けられた状態で、前記カシメ鋲の頭部を前記第１被カシメ部側に押圧することにより、前記カシメ鋲の先端部を前記鋲固定部材に圧入するカシメ部材が収容され、
前記第２被カシメ部に、前記カシメ部材によって押圧された前記カシメ鋲の頭部を、前記カシメ部材とで挟み込むように押さえる鋲押さえ部が設けられ、
前記第２被カシメ部に、前記カシメ部材を露出させるための開口部が設けられ、
前記カシメ部材は、前記開口部の内径よりも大きい外径を有しているために、前記第２被カシメ部からの取り外しが不能となっており、
前記カシメ部材によって前記カシメ鋲の先端部が前記鋲固定部材に圧入された状態で、前記カシメ部材側の係合部が前記鋲押さえ部側の被係合部に係合することにより、前記カシメ部材と前記鋲押さえ部とが互いに分離不能となる
ことを特徴とする遊技機。
【請求項２】
前記カシメ部材は、軸部、及び、前記カシメ鋲の頭部を押圧する押圧部を有し、
前記軸部が前記開口部を挿通する一方、前記押圧部は前記開口部の内径よりも大きい外径を有し、
前記軸部を押圧することにより、前記カシメ鋲の先端部が前記鋲固定部材に圧入される
ことを特徴とする請求項１に記載の遊技機。
【請求項３】
前記カシメ部材は、
前記係合部を有し、前記係合部が前記被係合部に係合することにより、前記カシメ鋲の頭部を覆うカシメキャップと、
軸部、及び、前記カシメ鋲の頭部を押圧する押圧部を有し、前記押圧部が前記カシメキャップ内に配置され、前記押圧部が、前記カシメキャップの内側面に接触するとともに前記カシメ鋲の頭部に接触するカシメキャップピンと
からなることを特徴とする請求項１または２に記載の遊技機。
【請求項４】
前記カシメキャップに、前記開口部を挿通するとともに前記軸部が挿通される筒部が突設され、
前記筒部と前記軸部とを同時に押圧することにより、前記カシメ鋲の先端部が前記鋲固定部材に圧入される
ことを特徴とする請求項３に記載の遊技機。
【請求項５】
前記カシメ鋲の先端部が前記鋲固定部材に圧入される前の状態では、前記筒部において前記開口部から突出する部分の長さ、及び、前記軸部において前記開口部から突出する部分の長さが、前記カシメ鋲の先端部の長さ以上に設定されていることを特徴とする請求項４に記載の遊技機。
【請求項６】
前記鋲固定部材は、金属材料を用いて形成されることを特徴とする請求項１乃至５のいずれか１項に記載の遊技機。
【請求項７】
前記基板ケースは、
前記第２被カシメ部を外部から覆うカシメカバーと、
前記第１ケースにおける前記第１被カシメ部の側方位置、及び、前記第２ケースにおける前記第２被カシメ部の側方位置に設定されたシール貼付部と
を備え、
前記カシメカバーは、前記第２被カシメ部を覆うカバー本体と、前記カバー本体から延設されるとともに前記第２ケース側のシール貼付部に固定される固定部とを備え、
前記第１ケース側のシール貼付部、前記第２ケース側のシール貼付部、及び、前記固定部を覆うように封印シールが貼付され、
前記封印シールを覆うようにシールカバーが取り付けられる
ことを特徴とする請求項１乃至６のいずれか１項に記載の遊技機。
【発明の詳細な説明】
【技術分野】
【０００１】
本発明は、制御基板を収容した基板ケースが取り付けられる遊技機に関するものである
【背景技術】
【０００２】
一般に、遊技機の一種であるパチンコ機は、機裏側に複数の制御基板を備えている。各制御基板は、主制御基板やサブ制御基板であり、それぞれＣＰＵ（中央演算処理装置）、ＲＯＭ（読出専用記憶装置）及びＲＡＭ（読取書込記憶装置）を備えている。なお、主制御基板は、遊技演出の内容の概略を決定するようになっている。また、サブ制御基板は、主制御基板が決定した内容に基づいてより具体的な演出内容を決定するようになっている。
【０００３】
ところで、主制御基板のＲＯＭを、不正なプログラムが記憶されたＲＯＭに交換することにより、多くの賞球を獲得する不正行為が行われることがある。そこで、２つのケースからなる基板ケースに主制御基板を収容するとともに、両ケースを、カシメ鋲を介して互いにかしめることにより、主制御基板を取り外してＲＯＭを交換する不正行為を防止する遊技機が提案されている（例えば特許文献１参照）。
【先行技術文献】
【特許文献】
【０００４】
【特許文献１】特開２０１２−１０９０８号公報（図９等）
【発明の概要】
【発明が解決しようとする課題】
【０００５】
しかしながら、特許文献１に記載の基板ケースは、カシメ鋲の周辺部が樹脂材料のみによって形成されているため、構造的に弱いものである。従って、基板ケースを破壊すれば、基板ケースを開封することが可能となる。この場合、破壊の痕跡がないカシメ鋲を容易に取得できるため、取得したカシメ鋲を介してケースをかしめれば、ＲＯＭが交換された基板ケースを作製できてしまうという問題がある。
【０００６】
本発明は上記の課題に鑑みてなされたものであり、その目的は、基板ケースを開封することによる不正行為を確実に防止できる遊技機を提供することにある。
【課題を解決するための手段】
【０００７】
上記課題を解決するために、請求項１（手段１）では、制御基板を収容した基板ケースが取り付けられる遊技機であって、前記基板ケースは、前記遊技機に取り付けられる第１ケースと、前記第１ケースを覆うように前記第１ケースに取り付けられる第２ケースとを備え、前記第１ケースに設けられた第１被カシメ部と前記第２ケースに設けられた第２被カシメ部とが、カシメ鋲を介して互いにかしめられるものであり、前記第１被カシメ部に、前記カシメ鋲の先端部が圧入されることにより前記先端部を固定する鋲固定部材が設けられ、前記第２被カシメ部に、前記第２ケースが前記第１ケースに取り付けられた状態で、前記カシメ鋲の頭部を前記第１被カシメ部側に押圧することにより、前記カシメ鋲の先端部を前記鋲固定部材に圧入するカシメ部材が収容され、前記第２被カシメ部に、前記カシメ部材によって押圧された前記カシメ鋲の頭部を、前記カシメ部材とで挟み込むように押さえる鋲押さえ部が設けられ、前記第２被カシメ部に、前記カシメ部材を露出させるための開口部が設けられ、前記カシメ部材は、前記開口部の内径よりも大きい外径を有しているために、前記第２被カシメ部からの取り外しが不能となっており、前記カシメ部材によって前記カシメ鋲の先端部が前記鋲固定部材に圧入された状態で、前記カシメ部材側の係合部が前記鋲押さえ部側の被係合部に係合することにより、前記カシメ部材と前記鋲押さえ部とが互いに分離不能となることを特徴とする遊技機をその要旨としている。
【０００８】
従って、請求項１に記載の発明によれば、第２ケースが第１ケースに取り付けられた状態で、第２被カシメ部に収容されたカシメ部材がカシメ鋲の頭部を第１被カシメ部側に押圧することにより、カシメ鋲の先端部が第１被カシメ部に設けられた鋲固定部材に圧入されるため、カシメ鋲を鋲固定部材から取り外すことが困難になる。しかも、カシメ部材側の係合部が鋲押さえ部側の被係合部に係合することにより、カシメ部材と鋲押さえ部とが互いに分離不能となるため、カシメ鋲の頭部は、カシメ部材と鋲押さえ部とで挟み込まれた状態に維持される。その結果、カシメ鋲を鋲固定部材から取り外すことがよりいっそう困難になる。以上のことから、第２被カシメ部側の構成（カシメ部材、鋲押さえ部）と第１被カシメ部側の構成（鋲固定部材）とがカシメ鋲を介して強固に接続されるため、第１ケースから第２ケースを取り外して基板ケースを開封することが困難になる。従って、基板ケースを開封することによる不正行為を確実に防止することができる。
【０００９】
ここで、基板ケースに収容される制御基板としては、遊技演出の内容の概略を決定する主制御基板や、主制御基板が決定した内容に基づいてより具体的な演出内容を決定するサブ制御基板などが挙げられるが、主制御基板であることが好ましい。即ち、主制御基板が有するＲＯＭには、賞球数を決定する処理を行うプログラムが記憶されているため、主制御基板を基板ケースに収容すれば、不正なＲＯＭに交換することにより賞球を獲得する不正行為を防止できるからである。
【００１０】
請求項２（手段２）に記載の発明は、請求項１において、前記カシメ部材は、軸部、及び、前記カシメ鋲の頭部を押圧する押圧部を有し、前記軸部が前記開口部を挿通する一方、前記押圧部は前記開口部の内径よりも大きい外径を有し、前記軸部を押圧することにより、前記カシメ鋲の先端部が前記鋲固定部材に圧入されることをその要旨としている。
【００１１】
従って、請求項２に記載の発明によれば、第２ケースが第１ケースに取り付けられた状態でカシメ部材の軸部を押圧すれば、カシメ部材の押圧部がカシメ鋲の頭部を第１被カシメ部側に押圧することにより、カシメ鋲の先端部が鋲固定部材に圧入されるため、カシメ鋲を鋲固定部材から取り外すことが困難になる。その結果、第２被カシメ部側と第１被カシメ部側とがカシメ鋲を介してより強固に接続されるため、第１ケースから第２ケースを取り外して基板ケースを開封することがよりいっそう困難になる。従って、基板ケースを開封することによる不正行為をより確実に防止することができる。
【００１２】
請求項３（手段３）に記載の発明は、請求項１または２において、前記カシメ部材は、前記係合部を有し、前記係合部が前記被係合部に係合することにより、前記カシメ鋲の頭部を覆うカシメキャップと、軸部、及び、前記カシメ鋲の頭部を押圧する押圧部を有し、前記押圧部が前記カシメキャップ内に配置され、前記押圧部が、前記カシメキャップの内側面に接触するとともに前記カシメ鋲の頭部に接触するカシメキャップピンとからなることをその要旨としている。
【００１３】
従って、請求項３に記載の発明によれば、第２ケースが第１ケースに取り付けられた状態で、カシメキャップピンの押圧部がカシメ鋲の頭部を第１被カシメ部側に押圧することにより、カシメ鋲の先端部が鋲固定部材に圧入されるため、カシメ鋲を鋲固定部材から取り外すことが困難になる。しかも、カシメキャップが有する係合部が鋲押さえ部側の被係合部に係合することにより、カシメキャップと鋲押さえ部とが互いに分離不能となるため、カシメキャップの内側面に接触する押圧部は、カシメ鋲の頭部を鋲押さえ部とで確実に挟み込むことができる。その結果、カシメ鋲を鋲固定部材から取り外すことがよりいっそう困難になる。以上のことから、第２被カシメ部側と第１被カシメ部側とがカシメ鋲を介してより強固に接続されるため、第１ケースから第２ケースを取り外して基板ケースを開封することがよりいっそう困難になる。従って、基板ケースを開封することによる不正行為をより確実に防止することができる。
【００１４】
請求項４（手段４）に記載の発明は、請求項３において、前記カシメキャップに、前記開口部を挿通するとともに前記軸部が挿通される筒部が突設され、前記筒部と前記軸部とを同時に押圧することにより、前記カシメ鋲の先端部が前記鋲固定部材に圧入されることをその要旨とする。
【００１５】
従って、請求項４に記載の発明によれば、カシメキャップによってカシメキャップピンの押圧部を押圧する工程とカシメキャップピンによってカシメ鋲の頭部を押圧する工程とを別々に行わなくても済むため、その分だけ工数を少なくすることができる。よって、上記の優れた基板ケースを効率良く製造することが可能となる。
【００１６】
請求項５（手段５）に記載の発明は、請求項４において、前記カシメ鋲の先端部が前記鋲固定部材に圧入される前の状態では、前記筒部において前記開口部から突出する部分の長さ、及び、前記軸部において前記開口部から突出する部分の長さが、前記カシメ鋲の先端部の長さ以上に設定されていることをその要旨とする。
【００１７】
従って、請求項５に記載の発明によれば、カシメキャップの筒部とカシメキャップピンの軸部とを同時に押圧する場合、筒部及び軸部が開口部から突出しなくなる時点で、カシメ鋲の先端部が完全に鋲固定部材に圧入されるようになる。その結果、第２被カシメ部側と第１被カシメ部側とがカシメ鋲を介してよりいっそう強固に接続されるため、第１ケースから第２ケースを取り外して基板ケースを開封することがよりいっそう困難になる。従って、基板ケースを開封することによる不正行為をよりいっそう確実に防止することができる。
【００１８】
請求項６（手段６）に記載の発明は、請求項１乃至５のいずれか１項において、前記鋲固定部材は、金属材料を用いて形成されることをその要旨とする。
【００１９】
従って、請求項６に記載の発明によれば、鋲固定部材が樹脂材料によって形成される場合に比べて、鋲固定部材の強度が高くなる。よって、基板ケースを破壊したとしても、鋲固定部材を破壊することは困難であるため、破壊の痕跡のないカシメ鋲を不正に取得できなくなる。ゆえに、取得したカシメ鋲を用いて、不正なＲＯＭに交換された制御基板を基板ケースに収容する不正行為を防止することができる。なお、鋲固定部材を形成する金属材料は特に限定されないが、例えば、銅、アルミニウム、鉄、チタン、ステンレスなどを挙げることができる。
【００２０】
請求項７（手段７）に記載の発明は、請求項１乃至６のいずれか１項において、前記基板ケースは、前記第２被カシメ部を外部から覆うカシメカバーと、前記第１ケースにおける前記第１被カシメ部の側方位置、及び、前記第２ケースにおける前記第２被カシメ部の側方位置に設定されたシール貼付部とを備え、前記カシメカバーは、前記第２被カシメ部を覆うカバー本体と、前記カバー本体から延設されるとともに前記第２ケース側のシール貼付部に固定される固定部とを備え、前記第１ケース側のシール貼付部、前記第２ケース側のシール貼付部、及び、前記固定部を覆うように封印シールが貼付され、前記封印シールを覆うようにシールカバーが取り付けられることをその要旨とする。
【００２１】
従って、請求項７に記載の発明によれば、第２被カシメ部を覆うようにカシメカバーが取り付けられ、カシメカバーの固定部と第１ケース側及び第２ケース側のシール貼付部とを覆うように封印シールが貼付され、封印シールを覆うようにシールカバーが取り付けられるため、第１ケースから第２ケースを取り外して基板ケースを開封することがよりいっそう困難になる。従って、基板ケースを開封することによる不正行為をよりいっそう確実に防止することができる。また、第１ケース側及び第２ケース側のそれぞれにシール貼付部が設定されているため、封印シールを貼付する部材を別途設けなくても済む。その結果、基板ケースを構成する部品点数の増加を防止できるため、製造コストの上昇を抑えることができる。
【発明の効果】
【００２２】
以上詳述したように、請求項１〜７に記載の発明によれば、基板ケースを開封することによる不正行為を確実に防止できる遊技機を提供することができる。特に、請求項４に記載の発明によれば、上記の優れた基板ケースを効率良く製造することが可能となる。
【図面の簡単な説明】
【００２３】
【図１】本発明におけるパチンコ機全体を示す概略正面図。
【図２】パチンコ機を部分的に示す概略背面図。
【図３】基板ケースを示す正面図。
【図４】基板ケースを示す斜視図。
【図５】第１実施形態における基板ケースを示す分解斜視図。
【図６】同じく、（ａ）は基板ケースを示す要部斜視図、（ｂ）は基板ケースを示す要部正面図。
【図７】同じく、かしめに用いられる構成を示す分解斜視図。
【図８】同じく、図６（ｂ）のＡ−Ａ線断面図。
【図９】同じく、カシメキャップを示す正面図。
【図１０】同じく、鋲押さえ部を示す正面図。
【図１１】同じく、（ａ）はかしめ前のカシメ部材を示す斜視図、（ｂ）はかしめ後のカシメ部材を示す斜視図。
【図１２】同じく、封印機構等の構成を示す分解斜視図。
【図１３】同じく、基板ケースを示す部分側面図。
【図１４】同じく、基板ケースを示す部分側面図。
【図１５】同じく、基板ケースを示す側面図。
【図１６】同じく、図１５のＢ−Ｂ線断面図。
【図１７】同じく、（ａ）は、シールカバーが取り外された状態の基板ケースを示す要部斜視図、（ｂ）は、カシメカバーが取り外された状態の基板ケースを示す要部斜視図。
【図１８】第２実施形態における基板ケースを示す要部断面図。
【発明を実施するための形態】
【００２４】
［第１実施形態］
以下、本発明の遊技機をパチンコ機１０に具体化した第１実施形態を図面に基づき説明する。
【００２５】
（１）パチンコ機１０の機表側の概略構成
図１には、パチンコ機１０の機表側が略示されている。このパチンコ機１０は機体の外郭をなす縦長方形状の外枠１１を備えている。外枠１１の開口前面側には、機体を構成する縦長方形状の中枠１２が、開閉及び着脱自在に組み付けられている。また、中枠１２の前面側には、前枠１４が横開き状態で開閉可能に組み付けられている。前枠１４は、中央部に窓口１４ａを有するとともに、窓口１４ａの下方に上球皿１５が一体的に組み付けられた構造を有している。前枠１４の裏面側には、機内部に配置された遊技盤１３を透視保護するためのガラス（図示略）が組み付けられている。
【００２６】
また、前枠１４の前面には、上側枠ランプ１６ａ、左側枠ランプ１６ｂ及び右側枠ランプ１６ｃが設けられている。各枠ランプ１６ａ〜１６ｃは、図示しない発光体（発光ダイオードなど）を備えており、同発光体にレンズ部材を覆い被せて構成されている。これらの枠ランプ１６ａ〜１６ｃでは、パチンコ機１０の各種遊技の演出態様（大当り、リーチなど）に応じて点灯（点滅）・消灯などの発光装飾が行われるようになっている。
【００２７】
図１に示されるように、前枠１４の左上部には左スピーカ１７ａが配設され、前枠１４の右上部には右スピーカ１７ｂが配設されている。左スピーカ１７ａ及び右スピーカ１７ｂは、各種音声を出力する音声演出を行うためのものである。左スピーカ１７ａ及び右スピーカ１７ｂは前枠１４の裏面側に装着され、前枠１４の前面側において左スピーカ１７ａ及び右スピーカ１７ｂと対応する箇所には複数の放音孔（図示略）が形成されている。
【００２８】
さらに、中枠１２の前面側において前枠１４の下方には、下球皿１８が開閉可能に組み付けられている。下球皿１８の右方には、遊技球を発射する際に遊技者によって回動操作される操作ハンドル１９が装着されている。また、下球皿１８の左方には、各種音声を出力して音声演出を行う下スピーカ１７ｃが配設されている。なお、下スピーカ１７ｃは中枠１２に装着されている。
【００２９】
図１に示されるように、遊技盤１３の遊技盤面１３ａには、遊技球が流下可能な遊技領域を区画する内レール４１ａ及び外レール（図示略）が略円形状に敷設されている。内レール４１ａと外レールとの間に生じる発射経路には、操作ハンドル１９を操作した際に発射された遊技球が通過するようになっている。そして、発射経路を通過した遊技球は、発射経路の終端部から遊技領域に進入し、遊技領域内を流下するようになっている。
【００３０】
また、遊技盤面１３ａの略中央部には、開口部６０ａを有する枠状のセンター役物６０が装着されている。なお、遊技盤１３の裏側には、図柄表示装置（図示略）が着脱自在に取り付けられるようになっている。図柄表示装置の表示画面は、センター役物６０の開口部６０ａを介して遊技盤１３の前面側から視認可能となっている。この図柄表示装置では、変動画像（または画像表示）に基づく遊技演出（表示演出）が行われるようになっている。そして、図柄表示装置では、表示演出に関連して、複数種類の演出図柄を３列で変動させる図柄組み合わせゲームが表示されるようになっている。なお、本実施形態の図柄表示装置は液晶式であるが、ドットマトリクス式、エレクトロルミネッセンス素子式、７セグメント式の図柄表示装置であってもよい。
【００３１】
図１に示されるように、遊技盤面１３ａ上におけるセンター役物６０の下方位置には、始動入賞口２１ａが形成された始動入賞装置２１が配設されている。始動入賞装置２１には、一対の羽根部材２１ｂからなる普通電動役物が一体的に構成されている。一対の羽根部材２１ｂは、普通電動役物ソレノイド（図示略）の励磁作用により開閉するようになっている。また、始動入賞装置２１の奥方には、始動入賞口２１ａに入球した遊技球を検知する始動口スイッチ（図示略）が設けられている。始動口スイッチは、始動入賞装置２１に入賞した遊技球を検知したことを契機として、オン状態となり、入賞信号を出力するようになっている。一方、始動口スイッチは、遊技球を検知していないときにオフ状態となり、入賞信号を出力しなくなる。なお、入賞信号が出力された場合には、特別図柄表示装置２４による図柄変動ゲームが行われるとともに、図柄表示装置による図柄組み合わせゲームが行われ、所定数（本実施形態では３個）の賞球の払い出しが行われるようになっている。
【００３２】
図１に示されるように、遊技盤面１３ａ上における始動入賞装置２１の下方には、大入賞装置２３が配設されている。大入賞装置２３の奥方には、入賞した遊技球を検知するカウントスイッチ（図示略）が設けられている。カウントスイッチは、大入賞装置２３に入賞した遊技球を検知したことを契機として、オン状態となり、入賞信号を出力するようになっている。また、大入賞装置２３の大入賞口扉２３ａは、大入賞口ソレノイド（図示略）の励磁作用により、遊技球を受け入れない閉鎖状態、及び、遊技球を受け入れやすい開放状態に切替可能になっている。本実施形態において、大入賞口扉２３ａの「閉鎖状態」とは、大入賞口扉２３ａが完全に閉じている状態をいい、大入賞口扉２３ａの「開放状態」とは、大入賞口扉２３ａが完全に開いた状態をいう。なお、カウントスイッチにて遊技球が検知された場合には、所定数（本実施形態では１５個）の賞球の払い出しが行われるようになっている。
【００３３】
図１に示されるように、遊技盤面１３ａ上におけるセンター役物６０の左側領域には、遊技球の通過を検知する機能を有するゲート２５が設けられている。ゲート２５は、上下方向に開口しており、遊技領域内を流下する遊技球が上方から通過可能になっている。ゲート２５の奥方には、通過した遊技球を検知するゲートスイッチ（図示略）が設けられている。なお、ゲートスイッチにて遊技球が検知された場合に乱数を取得し、取得した乱数が所定の乱数値であるか否かを判定した結果に基づいて普通電動役物ソレノイドが駆動される。このような判定（当り判定）によって一対の羽根部材２１ｂが開放されるため、始動入賞装置２１に遊技球が入賞しやすくなる。
【００３４】
また、センター役物６０の右下方には、可視表示部を備えた特別図柄表示装置２４が配設されている。特別図柄表示装置２４では、始動入賞装置２１への遊技球の入賞を契機として、特別図柄（図示略）による図柄変動ゲームが実行され、該図柄変動ゲームの結果として、大当り及びハズレの表示結果が表示されるようになっている。例えば、図柄変動ゲームの結果が大当りとなる場合、図柄変動ゲームの終了時に、特別図柄として「０」〜「９」の１０通りの数字を示す図柄が表示される。一方、図柄変動ゲームの結果がハズレとなる場合、図柄変動ゲームの終了時に、特別図柄としてハズレを示す「−」の図柄が表示される。
【００３５】
さらに、本実施形態では、特別図柄表示装置２４での図柄変動ゲームに合わせて、図柄表示装置による図柄組み合わせゲームが行われる。具体的には、図柄変動ゲームの開始とほぼ同時に図柄組み合わせゲームが開始され、図柄変動ゲームの終了（大当りまたはハズレの表示結果が表示）とほぼ同時に図柄組み合わせゲームの結果が表示されるようになっている。
【００３６】
図１に示されるように、センター役物６０の右下方には、可視表示部を備えた普通図柄表示装置２６が配設されている。この普通図柄表示装置２６では、ゲート２５への遊技球の通過を契機として、普通図柄（図示略）を変動させる普通図柄変動ゲームが実行され、該普通図柄変動ゲームの結果として、乱数抽選の結果を示す普通図柄が停止表示されるようになっている。なお、本実施形態の普通図柄は、当りの図柄「○」、または、ハズレの図柄「×」の２種類である。そして、当りの図柄が導出された場合（普通図柄変動ゲームに当選した場合）、普通電動役物ソレノイドが所定時間だけ駆動され、一対の羽根部材２１ｂが開放されるようになっている。
【００３７】
（２）パチンコ機１０の機裏側の概略構成
図２には、パチンコ機１０の機裏側が略示されている。中枠１２の裏面側には、裏部品を組み付けるための機構セット盤３が配設されている。また、本実施形態のパチンコ機１０は、機構セット盤３の裏面側に、各種の制御基板（主制御基板、統括制御基板、表示制御基板、払出制御基板、発射制御基板、電源制御基板など）を備えている。なお、払出制御基板は、主制御基板に電気的に接続されており、主制御基板からの払い出し指示に基づいて遊技球の払い出しを制御するようになっている。また、発射制御基板は、払出制御基板に電気的に接続されており、打球発射装置を構成する操作ハンドル１９の操作状態を検知し、それに基づいて遊技球の発射強度を制御する役割を果たしている。さらに、電源制御基板は、各制御基板（主制御基板、統括制御基板、表示制御基板、払出制御基板、発射制御基板）の動作に必要な電源電圧（本実施形態では３４Ｖまたは５Ｖの直流電圧）を生成する役割を果たしている。電源制御基板は、統括制御基板及び表示制御基板に電気的に接続されており、生成した電源電圧を統括制御基板及び表示制御基板に供給するようになっている。
【００３８】
なお、図２に示されるように、主制御基板、統括制御基板、表示制御基板、払出制御基板、電源制御基板は、各々専用の基板ケース内に収容されている。各基板ケースは、機構セット盤３に取り付けられている。なお、本実施形態では、各基板ケースのうち、主制御基板を収容した基板ケース３０について説明する。主制御基板は、パチンコ機１０全体を制御するためのものであり、ＣＰＵ、ＲＡＭ、ＲＯＭなどの素子や複数のコネクタ７２を表面に備えている。一方、主制御基板の裏面には、回路パターンが形成されている。
【００３９】
（３）基板ケース３０の概略構成
図２〜図８に示されるように、基板ケース３０は、第１ケース３１及び第２ケース３２を備えている。第１ケース３１は、機構セット盤３に取り付けられており、主制御基板を収容するようになっている。なお、第１ケース３１には、主制御基板をネジ等で固定するための基板取付部（図示略）が設けられている。一方、第２ケース３２は、第１ケース３１を覆うように第１ケース３１に取り付けられている。また、第１ケース３１に設けられた第１被カシメ部４１、及び、第２ケース３２に設けられた第２被カシメ部５１は、カシメ鋲６１を介して互いにかしめられている。なお、カシメ鋲６１は、樹脂材料（本実施形態ではポリテトラフルオロエチレン樹脂）によって形成され、ネジ山を有する先端部６２と、先端部６２の基端側に接続された頭部６３とを備えている。
【００４０】
（３−１）第１ケース３１の構成
図４〜図８に示されるように、第１ケース３１は、無色透明の樹脂材料（本実施形態ではポリカーボネート樹脂）によって形成されている。よって、主制御基板の裏面側の構成（回路パターンなど）は、第１ケース３１の外部から視認可能となる。また、第１ケース３１は、正面視略矩形板状の底部１１１と、底部１１１の外周縁から第２ケース３２側に延びる３つの壁部１１２，１１３，１１４とによって略箱状に構成されている。
【００４１】
図５に示されるように、底部１１１には、壁部１１２の近傍において同壁部１１２と平行に延びる案内壁１１５と、壁部１１３の近傍において同壁部１１３と平行に延びる案内壁１１６とが突設されている。そして、壁部１１２と案内壁１１５との間、及び、壁部１１３と案内壁１１６との間には、案内溝１１０がそれぞれ形成されている。また、両壁部１１２，１１３には、断面矩形状をなす突起１１７がそれぞれ４個ずつ設けられている。各突起１１７は、壁部１１２，１１３の内側面において等間隔ごとに配置されている。さらに、底部１１１の外周縁において壁部１１２〜１１４が接続されていない領域には、外方に延びる一対の舌状片１３１が形成されている。
【００４２】
また、第１ケース３１における壁部１１４の外側には、第１カシメカバー取付部３４が設けられている。第１カシメカバー取付部３４には、第２ケース３２側に突出する略円筒状のボス１４９が設けられている。そして、ボス１４９には、先端面（第２ケース３２側の端面）において開口するネジ穴１４９ａが設けられている。
【００４３】
図３〜図５，図１２，図１５に示されるように、第１ケース３１における壁部１１４の外側には、第１再カシメ部２０１が設けられている。第１再カシメ部２０１は、壁部１１４から外方に延出する本体部２０２と、本体部２０２の外周縁から第２ケース３２側に延びる周壁２０３とによって構成されている。また、本体部２０２の中央部には、圧入孔２０４が設けられている。
【００４４】
図３〜図８，図１１〜図１５，図１７に示されるように、第１ケース３１における壁部１１４の外側には、第１被カシメ部４１が設けられている。第１被カシメ部４１は、第１カシメカバー取付部３４を介して第１再カシメ部２０１の反対側に配置されている。第１被カシメ部４１は、壁部１１４から外方に延出する本体部４２と、本体部４２の外周縁から第２ケース３２側に延びる周壁４３とによって構成されている。また、本体部４２の中央部には、圧入孔４４が設けられている。
【００４５】
図５，図７，図８，図１１に示されるように、圧入孔４４には、鋲固定部材２１１が圧入されている。鋲固定部材２１１は、金属材料（本実施形態では黄銅）を用いて円柱状に形成されており、大径部２１２，２１３及び小径部２１４を同軸上に備えるとともに、それらを挿通する鋲穴２１５を有している。なお、小径部２１４は、大径部２１２，２１３の間に配置されている。また、鋲固定部材２１１は、鋲穴２１５にカシメ鋲６１の先端部６２が圧入されることにより、先端部６２を固定するようになっている。即ち、鋲穴２１５の内径は、先端部６２の外径よりも若干小さく設定されている。また、鋲穴２１５の深さは、先端部６２が鋲穴２１５に圧入されたときに、鋲穴２１５の底面と先端部６２とが接触しない程度に設定されている。なお、本実施形態の鋲穴２１５は有底穴であるが、鋲穴は貫通穴であってもよい。また、大径部２１２，２１３の小径部２１４側の端面及び小径部２１４の外周面が、鋲穴２１５の内側面において突出する凸部２１６（図８参照）に接触している。このため、鋲固定部材２１１は本体部４２に対して強固に固定されるようになる。
【００４６】
（３−２）第２ケース３２の構成
図２〜図８，図１１〜図１５，図１７に示されるように、第２ケース３２は、上述した第１ケース３１と同じ材料、即ち、無色透明の樹脂材料（本実施形態ではポリカーボネート樹脂）によって形成されている。よって、主制御基板の表面側の構成（ＣＰＵなどの素子）は、第２ケース３２の外部から視認可能となる。また、第２ケース３２は、正面視略矩形板状の天井部１０１と、天井部１０１の外周縁から第１ケース３１側に延びる４つの壁部１０２，１０３，１０４，１０５とによって略箱状に構成されている。天井部１０１は、第１ケース３１に収容された主制御基板の表面から離間しており、主制御基板の表面に実装された素子（ＣＰＵなど）に接触しないようになっている。
【００４７】
また、天井部１０１の周縁部１０６，１０７には、主制御基板のコネクタ７２（図２参照）を露出させるためのコネクタ用開口７３が設けられている。なお、コネクタ７２は、第２ケース３２が第１ケース３１に取り付けられた際に、コネクタ用開口７３を介して周縁部１０６，１０７から突出するようになる。よって、主制御手段によって制御される各種部品に接続された配線や、他の制御基板等に接続された配線を、第２ケース３２の外部から容易に接続することができる。
【００４８】
図５に示されるように、第２ケース３２を構成する一対の壁部１０２，１０４には、略Ｌ字状をなすフック７１がそれぞれ４個ずつ設けられている。各フック７１は、壁部１０２，１０４の下端部（第１ケース３１側の端部）に設けられており、壁部１０２，１０４において等間隔ごとに配置されている。各フック７１は、切欠溝を構成しており、第１ケース３１側の突起１１７と係合可能になっている。本実施形態では、フック７１の先端部を突起１１７の近傍に接近させた状態で、第２ケース３２を移動してフック７１を突起１１７に係合させることにより、第２ケース３２が第１ケース３１に取り付けられる。
【００４９】
さらに、第２ケース３２を構成する壁部１０３には、第２ケース３２の内部領域と外部領域とを連通させる矩形状の連通穴１２２が一対設けられている。各連通穴１２２には、第１ケース３１側の舌状片１３１が挿通されるようになっている。その結果、第２ケース３２が第１ケース３１から上方向（基板ケース３０の厚さ方向）に離脱することが防止される。なお、舌状片１３１の先端部は、連通穴１２２から第２ケース３２の外方に突出するようになる。
【００５０】
図５，図７，図１２，図１７に示されるように、第２ケース３２における壁部１０５の外側には、第２カシメカバー取付部２２１が設けられている。第２カシメカバー取付部２２１には凹部２２２が形成されており、凹部２２２には、矩形状をなす係合孔２２３と円形状をなすネジ孔２２４とが設けられている。
【００５１】
図３〜図５，図１２，図１５に示されるように、第２ケース３２における壁部１０５の外側には、第２再カシメ部１７１が設けられている。第２再カシメ部１７１は、上端及び下端において開口する開口部１７２を有する筒状をなしている。また、第２再カシメ部１７１には、再封止用のカシメキャップ１７３が収容可能となっている。カシメキャップ１７３は、第２ケース３２が第１ケース３１に取り付けられた状態で、カシメネジ３７の頭部を第１再カシメ部２０１側に押圧することにより、カシメネジ３７の先端部を圧入孔２０４に圧入する機能を有している。そして、カシメキャップ１７３に設けられた係合片（図示略）が圧入孔２０４内に設けられた被係合部（図示略）に係合することにより、カシメネジ３７の頭部がカシメキャップ１７３によって覆われるようになる。なお、再封止を行わない場合、カシメキャップ１７３は、第２ケース３２の天井部１０１の裏側に設けられたキャップ収容部１７４に収容される。
【００５２】
図３〜図８，図１１，図１２，図１７に示されるように、第２ケース３２における壁部１０５の外側には、第２被カシメ部５１が設けられている。第２被カシメ部５１は、第２カシメカバー取付部２２１を介して第２再カシメ部１７１の反対側に配置されている。第２被カシメ部５１は、略円形状をなす天板部５５と、天板部５５の外周縁から下方（第１ケース３１側）に延びる周壁５６とによって構成され、外径２０ｍｍ×高さ２５ｍｍの略筒状をなしている。周壁５６には、同周壁５６の下端部において開口するネジ取付穴５４が設けられている。また、天板部５５の中央部には、内径７．５ｍｍの開口部５２が設けられている。
【００５３】
また、第２被カシメ部５１には、第２ケース３２が第１ケース３１に取り付けられた状態で、カシメ鋲６１の頭部６３を第１被カシメ部４１側に押圧することにより、カシメ鋲６１の先端部６２を鋲固定部材２１１の鋲穴２１５に圧入するカシメ部材８１が収容されている。カシメ部材８１は、開口部５２の内径よりも大きい外径を有しているために、第２被カシメ部５１からの取り外しが不能となっている。
【００５４】
図５〜図９等に示されるように、カシメ部材８１は、カシメキャップ８２及びカシメキャップピン８３からなっている。本実施形態のカシメキャップ８２は、樹脂材料（本実施形態ではエーテル系ウレタン）によって形成されている。また、カシメキャップ８２は、キャップ本体１６１と、キャップ本体１６１の上端面に突設された筒部１６２とを有している。筒部１６２は、外径７ｍｍ×高さ１５ｍｍの略円柱状をなすとともに、内径４ｍｍの貫通孔１６４を中央部に有している。筒部１６２は、開口部５２を挿通することにより、第２被カシメ部５１の外部に露出するようになっている。なお、カシメ鋲６１の先端部６２が鋲穴２１５に圧入される前の状態では、筒部１６２において開口部５２から突出する部分の長さ（１２ｍｍ）が、先端部６２の長さ（１２ｍｍ）と同一になっている。
【００５５】
一方、キャップ本体１６１は、外径１５ｍｍ×高さ８ｍｍであって、下端にて開口する形状をなしている。また、キャップ本体１６１の下端部における外周面には、３個の係合突起１６３（係合部）が突設されている。各係合突起１６３は、貫通孔１６４の中心軸線を基準として等角度（１２０°）間隔で配置されている（図９参照）。
【００５６】
図５〜図８等に示されるように、カシメキャップピン８３は、金属材料（本実施形態では黄銅）を用いて形成されており、軸部８５と、カシメ鋲６１の頭部６３を押圧する押圧部８６とを有している。軸部８５は、外径３．５ｍｍ×高さ１７ｍｍの棒状をなし、筒部１６２に設けられた貫通孔１６４（及び、天板部５５に設けられた開口部５２）を挿通するようになっている。なお、カシメ鋲６１の先端部６２が鋲穴２１５に圧入される前の状態では、軸部８５において開口部５２から突出する部分の長さ（１２ｍｍ）が、筒部１６２において開口部５２から突出する部分の長さと同一になるとともに、先端部６２の長さと同一になっている。一方、押圧部８６は、外径６ｍｍ×高さ３ｍｍの円板状をなしており、キャップ本体１６１内に配置されている。押圧部８６は、キャップ本体１６１の内側面８２ａに接触するとともに、カシメ鋲６１の頭部６３に接触するようになっている。
【００５７】
図５，図７，図８，図１０に示されるように、第２被カシメ部５１には鋲押さえ部９１が設けられている。鋲押さえ部９１は、カシメ部材８１によって押圧されたカシメ鋲６１の頭部６３を、カシメ部材８１とで挟み込むように押さえる機能を有している。鋲押さえ部９１は、樹脂材料（本実施形態ではエーテル系ウレタン）によって形成され、外径１８ｍｍ×厚さ２．５ｍｍの略円板状をなしている。また、鋲押さえ部９１の中央部には、直径４ｍｍの貫通孔９３が設けられている。貫通孔９３には、カシメ鋲６１の先端部６２が挿通するようになっている。さらに、鋲押さえ部９１の外周部には、３個の被係合部９２が設けられている。各被係合部９２は、貫通孔９３の中心軸線を基準として等角度（１２０°）間隔で配置されている。また、各被係合部９２には、平面視略矩形状をなす係合孔９４が設けられている。なお、カシメ部材８１側の係合突起１６３が係合孔９４を挿通して被係合部９２の裏側に係合することにより、カシメ鋲６１の頭部６３がカシメキャップ８２によって覆われるようになる。また、鋲押さえ部９１の外周部には張出部９５が形成され、張出部９５の中央部には平面視円形状のネジ孔９６が設けられている。よって、ネジ孔９６に皿ネジ９７を挿通し、挿通した皿ネジ９７をネジ取付穴５４に螺着させることにより、鋲押さえ部９１が第２被カシメ部５１に固定される。なお、本実施形態の皿ネジ９７は、外径２．３ｍｍ×長さ８ｍｍである。
【００５８】
（３−３）封印機構１４１の構成
図２〜図５，図１２〜図１７に示されるように、基板ケース３０は封印機構１４１を備え、封印機構１４１は、カシメカバー１４４、封印シール１４２及びシールカバー１５０を有している。また、第１ケース３１における第１被カシメ部４１の側方位置にある第１カシメカバー取付部３４、及び、第２ケース３２における第２被カシメ部５１の側方位置にある第２カシメカバー取付部２２１には、封印機構１４１を構成するシール貼付部１４３が設定されている。シール貼付部１４３の上面（第２ケース３２側の面）は、縦２４ｍｍ×横６５ｍｍの略矩形状をなしている。シール貼付部１４３の下面（第１ケース３１側の面）は、縦２０ｍｍ×横６５ｍｍの略矩形状をなしている。また、シール貼付部１４３の側面は、縦２０ｍｍ×横６５ｍｍの略矩形状をなしている。
【００５９】
カシメカバー１４４は、カバー本体１４５と、カバー本体１４５から延設される固定部１４６とを備えている。カバー本体１４５は、第２被カシメ部５１を外部から覆うようになっている。カバー本体１４５は、略円形状をなす天板部２３１と、天板部２３１の外周縁から下方（第１ケース３１側）に延びる周壁２３２とによって構成され、外径２５ｍｍ×高さ３０ｍｍの略筒状をなしている。また、カバー本体１４５には、下方に突出する一対の突起部１９１が設けられている。なお、両突起部１９１は、第１被カシメ部４１に設けられた一対の収容凹部１９２（図１３，図１４参照）に挿入されるようになっている。
【００６０】
図５，図１２，図１４，図１７に示されるように、固定部１４６は、凹部２２２に収容された状態で、第２ケース３２側のシール貼付部１４３に固定されるようになっている。固定部１４６には、下方に突出する一対のフック１９３が設けられている。なお、両フック１９３は、凹部２２２の底面にある係合孔２２３に挿入されることにより、第２ケース３２に係止するようになっている。また、固定部１４６においてフック１９３よりも先端側となる箇所には、貫通孔１４７が設けられている。なお、貫通孔１４７と第２ケース３２側のネジ孔２２４とを挿通した皿ネジ１４８を、第１ケース３１側のネジ穴１４９ａに螺着させることにより、第１ケース３１に対して第２ケース３２が固定される。
【００６１】
また、封印シール１４２は、第１ケース３１側のシール貼付部１４３、第２ケース３２側のシール貼付部１４３、固定部１４６（及び皿ネジ１４８の頭部）を覆うように貼付されている。本実施形態の封印シール１４２には、ＩＣチップ１４２ａ（図１２参照）が内蔵されている。ＩＣチップ１４２ａには、ＩＣチップ用ＣＰＵと、ＩＤを記憶するメモリとを備えている。なお、ＩＣチップ１４２ａに書き込まれたＩＤは、ＩＣタグリーダーによって読み取られるようになっている。ＩＣタグリーダーは、電波の出力によってＩＤを読み取るものであるが、電波は、遊技の結果に影響を及ぼすものではない。
【００６２】
図３〜図５，図１２，図１５，図１６に示されるように、シールカバー１５０は、封印シール１４２を覆うように基板ケース３０に対して取り付けられている。シールカバー１５０は、シール貼付部１４３の上面（及び固定部１４６）を覆う上壁部１５１、シール貼付部１４３の側面（第１ケース３１と第２ケース３２との接続部分）を覆う側壁部１５２、及び、シール貼付部１４３の下面を覆う下壁部（図示略）を備えている。側壁部１５２の両端部には、一対のフック１５３からなるフック部材１５４をそれぞれ備えている。なお、各フック部材１５４のフック１５３がシール貼付部１４３の両側部に設けられた係止穴１５５（図１２，図１４，図１６参照）に嵌め込まれることにより、基板ケース３０からのシールカバー１５０の抜けが防止される。
【００６３】
次に、基板ケース３０の各部材の作用を説明する。
【００６４】
（Ａ）基板ケース３０を容易に開封できない動作原理
まず、第２ケース３２側のフック７１を第１ケース３１側の案内溝１１０に挿入した状態で、第２ケース３２を、カシメ部材８１に接近する方向に止まるまでスライドする。この時点で、フック７１が第１ケース３１側の突起１１７に引っ掛かるため、ケース３１，３２を互いに離間させて開封することができなくなる。
【００６５】
次に、第２ケース３２側のカシメ部材８１、具体的には、カシメキャップ８２の筒部１６２とカシメキャップピン８３の軸部８５とを同時に押圧することにより、カシメ鋲６１の先端部６２が鋲固定部材２１１の鋲穴２１５に圧入される（図１１（ａ），（ｂ）参照）。なお、カシメ鋲６１は、かしめられる際に回転しながら鋲穴２１５に圧入される。また、カシメ鋲６１の圧入に伴い、カシメキャップ８２側の係合突起１６３が鋲押さえ部９１側の被係合部９２に係合するため、カシメ部材８１と鋲押さえ部９１とが互いに分離不能となる。その結果、第２ケース３２をスライドできなくなるため、基板ケース３０が封止される。
【００６６】
その後、カシメ部材８１の上方からカシメカバー１４４を装着し、皿ネジ１４８を基板ケース３０側に螺着させる（図１２参照）。次に、シール貼付部１４３に対して封印シール１４２を貼付する。さらに、シールカバー１５０のフック部材１５４（フック１５３）を基板ケース３０側の係止穴１５５に嵌合させる。その結果、封印シール１４２がシールカバー１５０によって覆われた状態となることにより、基板ケース３０を容易に開封できなくなる。
【００６７】
（Ｂ）カシメ部材８１によって基板ケース３０の開封を困難にする動作原理
本実施形態では、カシメキャップ８２側の係合突起１６３が鋲押さえ部９１側の係合孔９４に嵌合すると、係合突起１６３が鋲押さえ部９１に引っ掛かるため、カシメキャップ８２を鋲押さえ部９１から取り外すことが困難になる。また、カシメキャップ８２の筒部１６２の外周面と第２被カシメ部５１の開口部５２の内側面との隙間、及び、筒部１６２の貫通孔１６４の内側面とカシメキャップピン８３の軸部８５の外周面との隙間は極めて小さい（本実施形態では０．５ｍｍ）ため、カシメキャップ８２を把持して引き上げることが困難になる。以上により、カシメキャップ８２の取り外しが困難になるため、基板ケース３０を容易に開封できなくなる。
【００６８】
（Ｃ）カシメカバー１４４及びシールカバー１５０によって基板ケース３０の開封を困難にする動作原理
本実施形態では、カシメカバー１４４を装着し、皿ネジ１４８を螺着させると、カシメカバー１４４に設けられた一対の突起部１９１が第１被カシメ部４１側の収容凹部１９２に挿入されるため、第２ケース３２をスライドすることができなくなる。さらに、カシメカバー１４４に設けられた一対のフック１９３が第２ケース３２側のフック１９３に挿入されて係止するため、カシメカバー１４４を第２ケース３２から取り外すことが困難になる。また、シールカバー１５０を装着すると、シールカバー１５０に設けられた２つのフック部材１５４（即ち、４つのフック１５３）が基板ケース３０側の係止穴１５５に係止することにより、シールカバー１５０を基板ケース３０から取り外すことが困難になる。しかも、この場合、シールカバー１５０によって覆われている皿ネジ１４８に触れることができないため、ケース３１，３２及びカシメカバー１４４を互いに固定する皿ネジ１４８を取り外すことが困難になる。ゆえに、基板ケース３０を容易に開封できなくなる。
【００６９】
（Ｄ）基板ケース３０の開封時に痕跡が残る原理
なお、基板ケース３０を開封する際には、側壁部１５２と各フック部材１５４とを連結する４つのシールカバー切断部１８１（図１５参照）を切断し、シールカバー１５０を取り外す。次に、シールカバー１５０に覆われていた封印シール１４２を剥離して、封印シール１４２に覆われていた皿ネジ１４８を取り外す。そして、カバー本体１４５と固定部１４６との連結部分に設けられた切断部１８２（図１７（ａ）参照）を切断し、カシメカバー１４４のカバー本体１４５による第２被カシメ部５１の被覆を解除する。さらに、第２被カシメ部５１と第２ケース３２とを連結する一対の根本リブ１８３に設けられた切断部１８４（図１７（ｂ）参照）を切断し、第２ケース３２を取り外す。その結果、封印シール１４２が破損した痕跡や、シールカバー１５０、カシメカバー１４４及び根本リブ１８３を切断した痕跡が残るようになる。また、封印シール１４２の破損により、ＩＣチップ１４２ａに書き込まれたＩＤを読み取ることもできなくなる。
【００７０】
従って、本実施形態によれば以下の効果を得ることができる。
【００７１】
（１）本実施形態のパチンコ機１０では、第２ケース３２が第１ケース３１に取り付けられた状態で、カシメキャップピン８３の押圧部８６がカシメ鋲６１の頭部６３を第１被カシメ部４１側に押圧することにより、カシメ鋲６１の先端部６２が第１被カシメ部４１に設けられた鋲固定部材２１１に圧入される。その結果、カシメ鋲６１を鋲固定部材２１１から取り外すことが困難になる。しかも、カシメキャップ８２が有する係合突起１６３が鋲押さえ部９１側の被係合部９２に係合することにより、カシメキャップ８２と鋲押さえ部９１とが互いに分離不能となるため、カシメキャップ８２の内側面８２ａに接触する押圧部８６は、カシメ鋲６１の頭部６３を鋲押さえ部９１とで確実に挟み込むことができる。その結果、カシメ鋲６１を鋲固定部材２１１から取り外すことがよりいっそう困難になる。以上のことから、第２被カシメ部５１側の構成（カシメ部材８１、鋲押さえ部９１）と第１被カシメ部４１側の構成（鋲固定部材２１１）とがカシメ鋲６１を介してより強固に接続されるため、第１ケース３１から第２ケース３２を取り外して基板ケース３０を開封することがよりいっそう困難になる。従って、基板ケース３０を開封することによる不正行為をより確実に防止することができる。
【００７２】
（２）本実施形態では、カシメキャップ８２によってカシメキャップピン８３の押圧部８６を押圧する工程とカシメキャップピン８３によってカシメ鋲６１の頭部６３を押圧する工程とを別々に行わなくても済むため、その分だけ工数を少なくすることができる。よって、上記の優れた基板ケース３０を効率良く製造することが可能となる。
【００７３】
（３）本実施形態では、カシメキャップ８２の筒部１６２の外周面と第２被カシメ部５１の開口部５２の内側面との隙間、及び、筒部１６２の貫通孔１６４の内側面とカシメキャップピン８３の軸部８５の外周面との隙間が極めて小さい（本実施形態では０．５ｍｍ）ため、カシメキャップ８２を把持して引き上げることが困難になる。しかも、カシメキャップ８２のキャップ本体１６１は、第２被カシメ部５１に設けられた開口部５２の内径（７．５ｍｍ）よりも大きい外径（１５ｍｍ）を有しているため、開口部５２からカシメキャップ８２を取り外すことが困難になる。以上のことから、カシメキャップ８２の取り外しが困難になるため、基板ケース３０を容易に開封できなくなる。
【００７４】
（４）本実施形態では、封印シール１４２によって皿ネジ１４８の頭部が覆われているため、皿ネジ１４８の頭部を覆うための部品を封印シール１４２とは別に設けなくても済む。ゆえに、基板ケース３０を構成する部品点数の増加を防止できるため、製造コストの上昇を抑えることができる。
【００７５】
［第２実施形態］
以下、本発明を具体化した第２実施形態を図面に基づき説明する。
【００７６】
本実施形態では、カシメ部材の構造が上記第１実施形態とは異なっている。本実施形態のカシメ部材は、上記第１実施形態のカシメキャップ８２とカシメキャップピン８３とを一体化したものであると言うことができる。詳述すると、図１８に示されるように、カシメ部材２４１は、軸部２４２と、カシメ鋲６１の頭部６３を押圧する押圧部２４３とを有している。軸部２４２は、外径７．０ｍｍ×高さ１４ｍｍの棒状をなし、天板部５５に設けられた開口部５２を挿通するようになっている。なお、カシメ鋲６１の先端部６２が鋲固定部材２１１の鋲穴２１５に圧入される前の状態では、軸部２４２において開口部５２から突出する部分の長さ（１２ｍｍ）が、先端部６２の長さと同一になっている。一方、押圧部２４３は、外径１０ｍｍ×高さ７ｍｍの円柱状をなしており、第２被カシメ部５１内に配置されている。即ち、押圧部２４３は、開口部５２の内径（７．５ｍｍ）よりも大きい外径を有している。なお、押圧部２４３の先端部には、カシメ鋲６１の頭部６３を挿入するための凹部２４４が設けられている。また、押圧部２４３の基端側外周部には、鋲押さえ部２４５側の被係合部２４６が係合するようになっている。よって、本実施形態では、カシメ部材２４１の軸部２４２を押圧すれば、カシメ鋲６１の先端部６２が鋲固定部材２１１の鋲穴２１５に圧入されるようになる。
【００７７】
従って、本実施形態によれば、第２ケース３２が第１ケース３１に取り付けられた状態でカシメ部材２４１の軸部２４２を押圧すれば、カシメ部材２４１の押圧部２４３がカシメ鋲６１の頭部６３を第１被カシメ部４１側に押圧することにより、カシメ鋲６１の先端部６２が鋲固定部材２１１に圧入される。このため、カシメ鋲６１を鋲固定部材２１１から取り外すことが困難なる。その結果、第２被カシメ部５１側と第１被カシメ部４１側とがカシメ鋲６１を介してより強固に接続されるため、第１ケース３１から第２ケース３２を取り外して基板ケース３０を開封することがよりいっそう困難になる。従って、基板ケース３０を開封することによる不正行為をより確実に防止することができる。
【００７８】
なお、本実施形態を以下のように変更してもよい。
【００７９】
・上記実施形態の鋲固定部材２１１は、第１被カシメ部４１の圧入孔４４に圧入されていた。しかし、他の方法を用いて鋲固定部材２１１を第１被カシメ部４１に固定してもよい。例えば、インサート成形法により、鋲固定部材２１１を第１被カシメ部４１の本体部４２に埋め込むようにしてもよい。また、鋲固定部材２１１の外周面と圧入孔４４の内側面との間に接着剤を介在させることにより、鋲固定部材２１１を本体部４２に固定するようにしてもよい。
【００８０】
・上記実施形態の鋲固定部材２１１は、断面円形状をなしていたが、断面六角形状、断面八角形状、断面四角形状などの他の形状に変更してもよい。このようにすれば、カシメ鋲６１を鋲固定部材の鋲穴に圧入する際に、鋲固定部材がカシメ鋲６１とともに回転することを防止できる。
【００８１】
・上記実施形態の基板ケース３０の構成を、主制御基板とは別の制御基板（払出制御基板など）を収容した基板ケースに適用してもよい。
【００８２】
次に、特許請求の範囲に記載された技術的思想のほかに、前述した実施形態によって把握される技術的思想を以下に列挙する。
【００８３】
（１）上記手段４において、前記筒部は、前記軸部が挿通する貫通孔を有し、前記筒部の外周面と前記開口部の内側面との隙間、及び、前記貫通孔の内側面と前記軸部の外周面との隙間が、０．５ｍｍ以下であることを特徴とする遊技機。
【００８４】
（２）上記手段１乃至７のいずれか１つにおいて、前記第１ケース及び前記第２ケースは、無色透明の樹脂材料を用いて形成されることを特徴とする遊技機。
【符号の説明】
【００８５】
１０…遊技機としてのパチンコ機
３０…基板ケース
３１…第１ケース
３２…第２ケース
４１…第１被カシメ部
５１…第２被カシメ部
５２…開口部
６１…カシメ鋲
６２…カシメ鋲の先端部
６３…カシメ鋲の頭部
８１，２４１…カシメ部材
８２…カシメキャップ
８２ａ…カシメキャップの内側面
８３…カシメキャップピン
８５，２４２…軸部
８６，２４３…押圧部
９１，２４５…鋲押さえ部
９２，２４６…被係合部
１４２…封印シール
１４３…シール貼付部
１４４…カシメカバー
１４５…カバー本体
１４６…固定部
１５０…シールカバー
１６２…筒部
１６３…係合部としての係合突起
２１１…鋲固定部材
【図１】
2014073157.tif 000003
【図２】
2014073157.tif 000004
【図３】
2014073157.tif 000005
【図４】
2014073157.tif 000006
【図５】
2014073157.tif 000007
【図６】
2014073157.tif 000008
【図７】
2014073157.tif 000009
【図８】
2014073157.tif 000010
【図９】
2014073157.tif 000011
【図１０】
2014073157.tif 000012
【図１１】
2014073157.tif 000013
【図１２】
2014073157.tif 000014
【図１３】
2014073157.tif 000015
【図１４】
2014073157.tif 000016
【図１５】
2014073157.tif 000017
【図１６】
2014073157.tif 000018
【図１７】
2014073157.tif 000019
【図１８】
2014073157.tif 000020